(57)【要約】【課題】医療用デバイスにボタン電池の脱落を防止する機構を設けつつも、構造の大型化を抑制する。【解決手段】検出部２は、被検者の生体情報を検出する。ハウジング３は、検出部２へ電力を供給するためのボタン電池Ｂを収容するための収容室３１を区画している。カバー４は、収容室３１を閉塞可能である。係止部材５は、ハウジング３に支持されており、収容室３１が閉塞されるようにカバー４をハウジング３に係止する。ハウジング３とカバー４により、係止を解除するための係止部材５の変位を許容する空間７が形成されている。【選択図】図２
2019169367.tif 000002
【特許請求の範囲】
【請求項１】
被検者の生体情報を検出する検出部と、
前記検出部へ電力を供給するためのボタン電池を収容するための収容室を区画しているハウジングと、
前記収容室を閉塞可能なカバーと、
前記ハウジングと前記カバーの一方に支持されており、前記収容室が閉塞されるように前記カバーを前記ハウジングに係止する係止部材と、
を備えており、
前記ハウジングと前記カバーにより、係止を解除するための前記係止部材の変位を許容する空間が形成されている、
医療用デバイス。
【請求項２】
前記係止部材は、前記ボタン電池の径方向外側へ向けて弾性力により付勢されており、
前記ハウジングと前記カバーにより、前記弾性力に抗う方向への前記係止部材の変位を許容する空間が形成されている、
請求項１に記載の医療用デバイス。
【請求項３】
前記係止部材の係止力は、係止を解除するためにユーザの指から前記係止部材へ印加可能な力よりも強く、係止を解除するために所定の治具から前記係止部材へ印加可能な力よりも弱い、
請求項１または２に記載の医療用デバイス。
【請求項４】
前記ボタン電池の厚み方向に沿う向きの前記空間の寸法は、当該方向における前記収容室の寸法よりも小さい、
請求項１から３のいずれか一項に記載の医療用デバイス。
【請求項５】
前記係止部材は、前記ハウジングと前記カバーの前記一方に設けられた支点を中心として回動可能であり、
前記係止部材は、前記ハウジングと前記カバーの他方と係合する係合部を備えており、
前記支点は、前記係合部よりも前記弾性力の印加点に近い位置に配置されている、
請求項２から４のいずれか一項に記載の医療用デバイス。
【請求項６】
前記係止部材は、前記ハウジングと前記カバーの他方と係合する係合部を備えており、
前記係合部は、前記ハウジングと前記カバーの前記他方の外縁よりも前記ボタン電池の径方向外側に突出していない、
請求項１から５のいずれか一項に記載の医療用デバイス。
【請求項７】
前記生体情報に対応する信号を無線送信する送信部を備えている、
請求項１から６のいずれか一項に記載の医療用デバイス。
【請求項８】
被検者の生体情報を検出する検出部と、
前記検出部へ電力を供給するためのボタン電池を収容するための収容室を区画しているハウジングと、
前記ハウジングに係止されることにより前記収容室を閉塞し、前記ボタン電池の周方向に回転されることにより前記ハウジングに対する係止が解除されるカバーと、
前記ハウジングに支持されており、前記カバーと係合することにより当該カバーの回転を阻止する係止部材と、
を備えており、
前記ハウジングには、前記カバーとの係合を解除するための前記係止部材の変位を許容する空間が形成されている、
医療用デバイス。
【請求項９】
前記ハウジングは、前記ボタン電池の厚み方向への前記カバーの変位を規制する部材を備えている、
請求項８に記載の医療用デバイス。
【請求項１０】
前記係止部材は、前記ボタン電池の厚み方向における前記収容室の外側へ向けて弾性力により付勢されており、
前記ハウジングには、前記弾性力に抗う方向への前記係止部材の変位を許容する空間が形成されている、
請求項８または９に記載の医療用デバイス。
【請求項１１】
前記係止部材の係止力は、係合を解除するためにユーザの指から前記係止部材へ印加可能な力よりも強く、係止を解除するために所定の治具から前記係止部材へ印加可能な力よりも弱い、
請求項８から１０のいずれか一項に記載の医療用デバイス。
【請求項１２】
前記ボタン電池の厚み方向に沿う向きの前記空間の寸法は、当該方向における前記収容室の寸法よりも小さい、
請求項８から１１のいずれか一項に記載の医療用デバイス。
【請求項１３】
前記生体情報に対応する信号を無線送信する送信部を備えている、
請求項８から１２のいずれか一項に記載の医療用デバイス。
【発明の詳細な説明】
【技術分野】
【０００１】
本開示は、ボタン電池から供給される電力によって動作する医療用デバイスに関する。
【背景技術】
【０００２】
特許文献１は、この種の医療用デバイスを開示している。当該医療用デバイスは、被検者の生体情報を検出する検出部を備えている。検出部への電力供給はボタン電池によってなされる。したがって、当該医療用デバイスは、被検者に携帯されうる。
【先行技術文献】
【特許文献】
【０００３】
【特許文献１】国際公開第２０１５／１７０８９３号
【発明の概要】
【発明が解決しようとする課題】
【０００４】
上記のような医療用デバイスは、被検者に携帯されて当該被検者の生体情報を検出するという使用態様ゆえに、構造の大型化抑制とボタン電池の脱落防止が強く望まれる。
【０００５】
本開示の目的は、医療用デバイスにボタン電池の脱落を防止する機構を設けつつも、構造の大型化を抑制する技術を提供することにある。
【課題を解決するための手段】
【０００６】
上記の目的を達成するための本発明の一態様は、医療用デバイスであって、
被検者の生体情報を検出する検出部と、
前記検出部へ電力を供給するためのボタン電池を収容するための収容室を区画しているハウジングと、
前記収容室を閉塞可能なカバーと、
前記ハウジングと前記カバーの一方に支持されており、前記収容室が閉塞されるように前記カバーを前記ハウジングに係止する係止部材と、
を備えており、
前記ハウジングと前記カバーにより、係止を解除するための前記係止部材の変位を許容する空間が形成されている。
【０００７】
このような構成によれば、ボタン電池を収容したハウジングの収容室をカバーが閉塞した状態で、係止部材によってカバーのハウジングに対する係止がなされる。他方、ボタン電池の交換時などにカバーの係止を解除するための係止部材の変位は、ハウジングとカバーにより区画される空間により許容される。したがって、医療用デバイスにボタン電池の脱落を防止する機構を設けつつも、構造の大型化を抑制できる。
【図面の簡単な説明】
【０００８】
【図１】一実施形態に係る医療用デバイスの一部の外観を示している。
【図２】上記の医療用デバイスの構成を示している。
【図３】上記の医療用デバイスの一部の構成を拡大して示している。
【図４】別例に係る医療用デバイスの一部の構成を拡大して示している。
【図５】別例に係る医療用デバイスの一部の構成を拡大して示している。
【図６】別例に係る医療用デバイスの構成を示している。
【発明を実施するための形態】
【０００９】
添付の図面を参照しつつ、実施形態の例を以下詳細に説明する。各図面においては、説明対象の各要素を認識可能な大きさとするために縮尺を適宜変更している。
【００１０】
図１の（Ａ）は、一実施形態に係る医療用デバイス１の一部を側方から見た外観を示している。図１の（Ｂ）は、医療用デバイス１を上方から見た外観を示している。図２の（Ａ）は、図１の（Ｂ）における線IIA−IIAに沿って矢印方向から見た断面図を含みつつ、医療用デバイス１の構成を示している。
【００１１】
医療用デバイス１は、被検者に携帯されて当該被検者の生体情報を検出するように構成された装置である。すなわち、図２の（Ａ）に示されるように、医療用デバイス１は、被検者の生体情報を検出するための検出部２を備えている。
【００１２】
生体情報としては、心電図、脳波、体温、非観血動脈血酸素飽和度（ＳｐＯ２）、脈波などが例示されうる。検出部２は、取得すべき生体情報に応じた構成を含んでいる。例えば、生体情報として心電図や脳波が検出される場合、検出部２は、被検者の身体に装着される少なくとも一つの電極を含みうる。生体情報として脈波やＳｐＯ２が検出される場合、検出部２は、パルスオキシメトリ方式に基づいて動作する発光素子と受光素子を含みうる。生体情報として体温が検出される場合、検出部２は、被検者の身体に装着される温度センサを含みうる。
【００１３】
上記の各図に示されるように、医療用デバイス１は、ハウジング３を備えている。ハウジング３は、検出部２へ電力を供給するためのボタン電池Ｂを収容するための収容室３１を区画している。
【００１４】
収容室３１内には、正極端子３２と負極端子３３が配置されている。正極端子３２と負極端子３３は、収容室３１内に収容されたボタン電池Ｂの正極および負極とそれぞれ接触する。正極端子３２と負極端子３３は、検出部２と電気的に接続されている。これにより、電力がボタン電池Ｂから検出部２へ供給される。
【００１５】
上記の各図に示されるように、医療用デバイス１は、カバー４を備えている。カバー４は、収容室３１を閉塞可能に構成されている。本例においては、カバー４は、ヒンジ４１を介してハウジング３と連結されている。図２の（Ｂ）に示されるように、カバー４は、ヒンジ４１を中心として回動されることにより、収容室３１を開放できる。
【００１６】
カバー４は、ハウジング３に対して着脱可能とされてもよい。この場合、カバー４は、係止爪などを介してハウジング３に対して係止されることにより収容室３１を閉塞し、ハウジング３から取り外されることによって収容室３１を開放する。
【００１７】
カバー４は、パッキン４２を備えうる。パッキン４２は、収容室３１を閉塞する位置にカバー４が配置されたときにハウジング３とカバー４の間に生じる隙間を塞ぐように構成されている。これにより、収容室３１内への水分や埃の侵入が抑制される。
【００１８】
ハウジング３とカバー４の各々は、被検者が携帯可能な寸法を有するように構成されている。検出部２は、ハウジング３と一体に設けられてもよいし、ハウジング３とは別体として提供されてもよい。
【００１９】
上記の各図に示されるように、医療用デバイス１は、係止部材５を備えている。係止部材５は、収容室３１が閉塞されるようにカバー４をハウジング３に係止するために設けられている。
【００２０】
本例においては、係止部材５は、ハウジング３に支持されている。係止部材５は、カバー４と係合可能な係合部５１を備えている。
【００２１】
図２の（Ａ）に示されるように、医療用デバイス１は、弾性部材６を備えている。本例においては、弾性部材６は、板ばねやコイルばねなどのスプリングである。係止部材５は、弾性部材６の弾性力により、ボタン電池Ｂの径方向外側へ向けて付勢されている。カバー４が収容室３１を閉塞する位置にある場合、係合部５１がカバー４に係合することにより、カバー４がハウジング３に係止される。
【００２２】
図２の（Ａ）に示されるように、ハウジング３とカバー４は、空間７を区画している。図２の（Ｂ）に示されるように、空間７は、弾性部材６による弾性力に抗う方向への係止部材５の変位を許容している。適切な押圧力が加えられることにより係止部材５が当該方向へ変位すると、係合部５１とカバー４との係合が解除される。これにより、カバー４は、収容室３１を開放するように変位されうる。
【００２３】
このような構成によれば、ボタン電池Ｂを収容したハウジング３にカバー４を係止するための係止部材５が、ハウジング３とカバー４により区画される空間７を利用して設けられる。したがって、医療用デバイス１にボタン電池Ｂの脱落を防止する機構を設けつつも、構造の大型化を抑制できる。
【００２４】
係止部材５の係止力は、ユーザの指から弾性部材６の弾性力に抗う方向へ印加可能な力よりも強く、所定の治具から当該方向へ印加可能な力よりも弱くなるように設定されている。このような設定は、係止部材５の位置、形状、および寸法の少なくとも一つを弾性部材６の弾性力との関係で定めることによってなされる。
【００２５】
例えば、図１の（Ａ）に示されるように、係止部材５の外面には、小さな窪み５２が形成されうる。図２の（Ｂ）に示されるように所定の治具Ｊの先端で窪み５２を押圧すると、弾性部材６の弾性力を上回る局所的な力を係止部材５に加えることができる。これにより、係止部材５は、弾性部材６の弾性力に抗う方向へ空間７内を変位し、カバー４との係合が解除される。所定の治具Ｊは、専用の治具でもよいし、ボールペンのペン先などでもよい。
【００２６】
他方、図２の（Ａ）に示されるようにユーザの指Ｆで係止部材５を押圧しても、弾性部材６の弾性力を上回る局所的な力を加えることは困難あるいは不可能である。したがって、係止部材５は弾性部材６の弾性力に抗う方向には変位せず、カバー４との係止状態が維持される。
【００２７】
このような構成によれば、医療用デバイス１の携帯中に生じうる不慮の身体的接触によって係止部材５の解除がなされる事態が発生する可能性を低下させうる。よって、医療用デバイス１の動作中にボタン電池Ｂが脱落する事態が発生する可能性を低下させうる。
【００２８】
本例においては、図３に示されるように、ボタン電池Ｂの厚み方向に沿う向きの空間７の寸法Ｄ１は、同方向における収容室３１の寸法Ｄ２よりも小さい。
【００２９】
このような構成によっても、弾性部材６の弾性力を上回る局所的な力を係止部材５に加えにくくでき、医療用デバイス１の携帯中に生じうる不慮の身体的接触によって係止部材５の解除がなされる事態が発生する可能性を低下させうる。したがって、医療用デバイス１の動作中にボタン電池Ｂが脱落する事態が発生する可能性を低下させうる。
【００３０】
本例においては、図３に示されるように、係止部材５は、ハウジング３に設けられた支点３４を中心として回動可能とされている。支点３４は、係合部５１よりも弾性部材６の弾性力の印可点Ｐに近い位置に配置されている。
【００３１】
このような構成によっても、弾性部材６の弾性力を上回る局所的な力を係止部材５に加えにくくでき、医療用デバイス１の携帯中に生じうる不慮の身体的接触によって係止部材５の解除がなされる事態が発生する可能性を低下させうる。したがって、医療用デバイス１の動作中にボタン電池Ｂが脱落する事態が発生する可能性を低下させうる。
【００３２】
本例においては、図３に示されるように、係止部材５の係合部５１は、カバー４の外縁４３よりもボタン電池Ｂの径方向外側に突出していない。
【００３３】
このような構成によれば、ボタン電池Ｂの径方法における医療用デバイス１の寸法の大型化を抑制できる。また、ユーザの爪先などを係合部５１に引掛けて係止部材５の係止を解除しようとする行為を行ないにくくできる。あるいは、医療用デバイス１の携帯中に何らかの物体が係合部５１に引掛ることにより、不慮の係止解除がなされてしまう事態が発生する可能性を低下させうる。したがって、医療用デバイス１の大型化を抑制しつつ、動作中にボタン電池Ｂが脱落する事態が発生する可能性を低下させうる。
【００３４】
図２の（Ａ）に示されるように、医療用デバイス１は、通信部８を備えうる。通信部８は、検出部２により検出された生体情報に対応する信号を、外部機器へ無線送信するように構成されうる。例えば、通信部８は、ＲＦＩＤ（Radio Frequency Identification）、ＮＦＣ（Near Field Communication）、Bluetooth（登録商標）やWi-Fiなどの規格に準拠した通信インターフェースを備えうる。
【００３５】
このような構成によれば、医療用デバイス１をワイヤレスセンサとして構成でき、被検者の行動自由度を向上させうる。
【００３６】
通信部８を介した信号出力を行なわない場合、医療用デバイス１は、不図示の記憶部を備えうる。記憶部は、半導体メモリやハードディスクドライブなどのストレージによって構成されうる。検出部２によって検出された生体情報は、データとして記憶部に保存され、必要に応じて読み出されうる。
【００３７】
上記の実施形態は、本開示の理解を容易にするための例示にすぎない。上記の実施形態に係る構成は、本開示の趣旨を逸脱しなければ、適宜に変更・改良されうる。
【００３８】
上記の実施形態においては、係止部材５は、ハウジング３に支持されており、カバー４に係合可能な係合部５１を備えている。しかしながら、図４の（Ａ）に示されるように、係止部材５は、カバー４に支持されうる。この場合、係合部５１は、ハウジング３と係合する。係合部５１は、ハウジング３の外縁３５よりもボタン電池Ｂの径方向外側に突出しないように構成されうる。係止部材５は、カバー４に設けられた支点４４を中心として回動可能とされうる。支点４４は、係合部５１よりも弾性部材６の弾性力の印可点Ｐに近い位置に配置されうる。
【００３９】
係止部材５は、ハウジング３とカバー４の双方に設けられてもよい。この場合、ハウジング３に設けられた一方の係止部材５がカバー４と係合し、カバー４に設けられた他方の係止部材５がハウジング３と係合する。
【００４０】
上記の実施形態においては、弾性部材６はスプリングである。しかしながら、ボタン電池Ｂの径方向外側へ向けて係止部材５を付勢できれば、弾性部材６は、ラバーパッドなどで置き換えられうる。
【００４１】
上記の実施形態においては、係止部材５は、弾性部材６によってボタン電池Ｂの径方向外側へ向けて付勢されている。しかしながら、係止部材５自身がそのような弾性力を生じる構成とされてもよい。図４の（Ｂ）は、そのような別例を示している。
【００４２】
本例においては、カバー４が収容室３１を閉塞する位置まで変位すると、係止部材５がボタン電池Ｂの径方向内側へ向けて撓むことにより、カバー４に設けられた係合突起４５を係合部５１が乗り越え、係合状態が成立する。このとき、係止部材５は、自身の弾性復帰力によってボタン電池Ｂの径方向外側へ向けて付勢され、カバー４の係止状態を維持する。係止状態を解除する場合は、係止部材５の基端部５３を所定の治具で押圧する。これにより、空間７内において係止部材５がボタン電池Ｂの径方向内側へ向けて撓み、係合部５１と係合突起４５の係合が解除される。
【００４３】
図４の（Ｂ）に示される例においても、係止部材５を支持するハウジング３と係止部材５が係合するカバー４との関係は、図４の（Ａ）に示される例のように逆とされうる。
【００４４】
上記の実施形態においては、弾性部材６が係止部材５をボタン電池Ｂの径方向外側へ向けて付勢している。このような構成によれば、カバー４がハウジング３に係止された状態の維持が容易になる。しかしながら、所望の係止力が得られるのであれば、医療用デバイス１は、必ずしも弾性部材６を備えることを要しない。図５は、そのような別例を示している。
【００４５】
本例においては、係止部材５の係合部５１に凸部５４が形成されている。他方、カバー４には凹部４６が形成されている。凸部５４が凹部４６と係合することにより、カバー４のハウジング３に対する係止がなされる。ハウジング３とカバー４により区画される空間７は、係止を解除するための係止部材５の変位を許容している。適切な押圧力が加えられることにより、係止部材５の下部がボタン電池Ｂの径方向内側へ変位すると、凸部５４と凹部４６の係合が解除される。これにより、カバー４は、収容室３１を開放するように変位されうる。
【００４６】
凸部５４と凹部４６による係止力は、係止を解除するためにユーザの指から係止部材５へ印加可能な力よりも強く、係止を解除するために所定の治具から当該方向へ印加可能な力よりも弱くなるように設定されている。
【００４７】
図５に示される例においても、係止部材５を支持するハウジング３と係止部材５が係合するカバー４との関係は、図４の（Ａ）に示される例のように逆とされうる。
【００４８】
係止部材５の付勢方向はボタン電池Ｂの径方向に限られない。図６の（Ａ）は、別例に係る医療用デバイス１の外観を示している。図６の（Ｂ）は、図６の（Ａ）における矢印VIB方向から見た医療用デバイス１の外観を示している。図６の（Ｃ）は、図６の（Ａ）における線VIC‐VICに沿って矢印方向から見た医療用デバイス１の断面を示している。
【００４９】
本例においては、カバー４は、ハウジング３に対して、ボタン電池Ｂの周方向に回動可能とされている。ハウジング３は、一対の押さえ部３７を備えている。カバー４は、一対のフランジ部４７を備えている。各押さえ部３７の下方には、対応するフランジ部４７を受容可能な空間３７ａが区画されている。図６の（Ａ）に二点鎖線で示される状態から矢印方向へカバー４を回転させることにより、各フランジ部４７が対応する空間３７ａ内に進入する。
【００５０】
本例においては、係止部材５は、ハウジング３に形成された空間７に収容された弾性部材６によって、ボタン電池Ｂの厚み方向における収容室３１の外側へ向けて付勢されている。係止部材５は、空間７内で上下方向への変位を許容されている。係止部材５は、係合部５１を備えている。係合部５１は斜面部を有している。
【００５１】
空間３７ａに進入したフランジ部４７は、係合部５１の斜面部に当接し、弾性部材６の付勢力に抗しつつ係止部材５を下方へ押し下げる。これにより、空間７内に押し込められた係止部材５の上方をフランジ部４７が移動可能とされる。フランジ部４７の下面には、凹部４７ａが形成されている。フランジ部４７が空間３７ａにおける所定の位置に達すると、係合部５１が凹部４７ａに対向する。このとき、弾性部材６の付勢力による係止部材５の上方への変位が許容される。係合部５１が凹部４７ａと係合することにより、係止部材５がカバー４と係合する。結果として、カバー４は、一対の押さえ部３７により上方への変位が規制されるだけでなく、ボタン電池Ｂの周方向への変位も規制される。
【００５２】
ハウジング３には、孔３８が形成されている。孔３８は、空間７と連通している。図６の（Ｄ）に示されるように所定の治具Ｊの先端で空間７に収容された係止部材５を押圧すると、弾性部材６の弾性力を上回る局所的な力を係止部材５に加えることができる。これにより、係止部材５は、弾性部材６の弾性力に抗いつつ空間７を下方へ変位し、カバー４との係合が解除される。結果として、ボタン電池Ｂの周方向へのカバー４の変位が可能とされ、ハウジング３との係止が解除されうる。
【００５３】
本例において、孔３８の寸法は、ユーザの指では係止部材５にアクセスできない程度の大きさに定められる。
【００５４】
本例において、ボタン電池Ｂの厚み方向に沿う向きの空間７の寸法は、同方向における収容室３１の寸法よりも小さい。
【００５５】
図示を省略するが、本例に係る医療用デバイス１もまた前述の通信部８を備えうる。
【符号の説明】
【００５６】
１：医療用デバイス、２：検出部、３：ハウジング、３１：収容室、３４：支点、３５：ハウジングの外縁、４：カバー、４３：カバーの外縁、４４：支点、５：係止部材、５１：係合部、７：空間、８：通信部、Ｂ：ボタン電池、Ｄ１：ボタン電池の厚み方向に沿う向きの空間７の寸法、Ｄ２：ボタン電池の厚み方向に沿う向きの収容室３１の寸法、Ｆ：ユーザの指、Ｊ：治具、Ｐ：弾性力の印可点
【図１】
2019169367.tif 000003
【図２】
2019169367.tif 000004
【図３】
2019169367.tif 000005
【図４】
2019169367.tif 000006
【図５】
2019169367.tif 000007
【図６】
2019169367.tif 000008